【手続補正書】
【提出日】平成24年12月14日(2012.12.14)
【手続補正１】
【補正対象書類名】明細書
【補正対象項目名】発明の名称
【補正方法】変更
【補正の内容】
【発明の名称】光制御装置、制御装置及び光学スコープ
【手続補正２】
【補正対象書類名】明細書
【補正対象項目名】０００１
【補正方法】変更
【補正の内容】
【０００１】
本発明は、光制御装置、制御装置及び光学スコープ等に関する。
【手続補正３】
【補正対象書類名】明細書
【補正対象項目名】０１１３
【補正方法】変更
【補正の内容】
【０１１３】
また、特定の波長帯域とは、蛍光物質に蛍光を発生させるための励起光の波長帯域であってもよい。具体的には蛍光の波長帯域は４９０ｎｍ〜６２５ｎｍであり、励起光の波長帯域は３９０ｎｍ〜４７０ｎｍの波長帯域である。
【手続補正４】
【補正対象書類名】明細書
【補正対象項目名】０１１４
【補正方法】変更
【補正の内容】
【０１１４】
これにより、ＡＦＩと呼ばれる蛍光観察が可能となる。励起光（３９０ｎｍ〜４７０ｎｍ）を照射することで、コラーゲンなどの蛍光物質からの自家蛍光を観察することができる。このような観察では病変を正常粘膜とは異なった色調で強調表示することができ、病変部の見落としを抑止すること等が可能になる。なお４９０ｎｍ〜６２５ｎｍという数字は、前述の励起光を照射した際、コラーゲンなどの蛍光物質が発する自家蛍光の波長帯域を示したものであり、３９０ｎｍ〜４７０ｎｍとは蛍光を発生させる励起光の波長帯域を示したものである。ただし、この場合の波長帯域はこれに限定されず、例えば蛍光物質が発する蛍光の波長帯域に関する実験結果等の変動要因により、波長帯域の下限値が０〜１０％程度減少し、上限値が０〜１０％程度上昇することも考えられる。また、ヘモグロビンに吸収される波長帯域（５４０ｎｍ〜５６０ｎｍ）を同時に照射し、擬似カラー画像を生成してもよい。
【手続補正５】
【補正対象書類名】特許請求の範囲
【補正対象項目名】全文
【補正方法】変更
【補正の内容】
【特許請求の範囲】
【請求項１】
光源からの光をスポット状に被検体に対して照射し、スポット状に照射された光であるスポット光を走査しながらその戻り光を検出する光走査型光学装置に搭載される光制御装置であって、
白色光と、特定の波長帯域を有する特殊光とを被検体に照射する光照射部と、
前記白色光の照射時間に対して前記特殊光の照射時間が長くなるように制御する照射時間制御部と、
照射時間が制御された前記白色光の照射による前記被検体からの第１の戻り光を検出し、照射時間が制御された前記特殊光の照射による前記被検体からの第２の戻り光を検出する光検出部と、
発光制御部と、
を含み、
前記光照射部は、
前記白色光を発光する通常光光源から前記白色光を取得し、前記特殊光を発光する特殊光光源から前記特殊光を取得し、取得された前記白色光と前記特殊光を用いて、前記被検体を含む走査対象領域を走査し、
前記発光制御部は、
前記白色光の照射時間に対して前記特殊光の照射時間が長くなるように、前記通常光光源及び前記特殊光光源の発光タイミングを制御し、
前記光検出部は、
前記光照射部の走査により、前記被検体からの前記第１の戻り光及び前記第２の戻り光を検出することを特徴とする光制御装置。
【請求項２】
請求項１において、
前記通常光光源は、
前記白色光を構成する第１〜第Ｎ（Ｎは２以上の整数）の単色光をそれぞれ発光する第１〜第Ｎの単色光源を含み、
前記発光制御部は、
前記第１〜第Ｎの単色光源の発光を順次切り換え、
前記光照射部は、
前記白色光を構成する前記第１〜第Ｎの単色光を順次取得して照射することを特徴とする光制御装置。
【請求項３】
請求項２において、
前記第１〜第Ｎの単色光は、Ｒ色光、Ｇ色光及びＢ色光であることを特徴とする光制御装置。
【請求項４】
請求項１において、
前記特殊光光源は、
前記特殊光を構成する第Ｎ＋１〜第Ｍ（ＭはＭ＞Ｎ＋１となる整数、Ｎは整数）の単色光をそれぞれ発光する第Ｎ＋１〜第Ｍの単色光源を含み、
前記発光制御部は、
第Ｎ＋１〜第Ｍの前記単色光源の発光を順次切り換え、
前記光照射部は、
前記特殊光を構成する前記第Ｎ＋１〜第Ｍの単色光を順次取得して照射することを特徴とする光制御装置。
【請求項５】
請求項１において、
前記光照射部は、
前記白色光及び前記特殊光のいずれか一方の光を用いた前記走査対象領域の全域走査を行い、
前記発光制御部は、
前記一方の光を用いた前記走査対象領域の全域走査が完了したことを条件に、他方の光を発する光源の発光に切り替える制御を行い、
前記光照射部は、
前記他方の光を用いて前記走査対象領域の全域を走査することを特徴とする光制御装置。
【請求項６】
請求項５において、
前記通常光光源は、
前記白色光を構成する第１〜第Ｎ（Ｎは２以上の整数）の単色光をそれぞれ発光する第１〜第Ｎの単色光源を含み、
前記光照射部は、
前記第１〜第Ｎの単色光源のうちの第ｉの単色光源（１≦ｉ≦Ｎ−１）の光を用いた前記走査対象領域の全域走査を行い、
前記発光制御部は、
前記第ｉの単色光源の光を用いた前記走査対象領域の全域走査が完了したことを条件に、前記第１〜第Ｎの単色光源のうちの第ｉ＋１の単色光源の発光に切り替える制御を行い、
前記光照射部は、
前記第ｉ＋１の光を用いて前記走査対象領域の全域を走査することを特徴とする光制御装置。
【請求項７】
請求項５において、
前記特殊光光源は、
前記特殊光を構成する第Ｎ＋１〜第Ｍ（ＭはＭ＞Ｎ＋１となる整数、Ｎは整数）の単色光をそれぞれ発光する第Ｎ＋１〜第Ｍの単色光源を含み、
前記光照射部は、
前記第Ｎ＋１〜第Ｍの単色光源のうちの第ｊの単色光源（１≦ｊ≦Ｍ−１）の光を用いた前記走査対象領域の全域走査を行い、
前記発光制御部は、
前記第ｊの単色光源の光を用いた前記走査対象領域の全域走査が完了したことを条件に、前記第Ｎ＋１〜第Ｍの単色光源のうちの第ｊ＋１の単色光源の発光に切り替える制御を行い、
前記光照射部は、
前記第ｊ＋１の光を用いて前記走査対象領域の全域を走査することを特徴とする光制御装置。
【請求項８】
請求項１において、
前記光照射部は、
前記白色光及び前記特殊光のいずれか一方の光を用いて照射スポットへの照射を行い、
前記発光制御部は、
前記一方の光を用いた照射スポットへの照射が完了したことを条件に、前記他方の光を発する光源の発光に切り換える制御を行い、
前記光照射部は、
前記他方の光を用いて次の照射スポットへの照射を行うことを特徴とする光制御装置。
【請求項９】
請求項１において、
前記発光制御部は、
各周期において、前記通常光光源と前記特殊光光源が交互に発光するように、前記通常光光源と前記特殊光光源の発光タイミングを制御する周期制御部を含むことを特徴とする光制御装置。
【請求項１０】
請求項１において、
前記光照射部は、
単一の前記光源が発した光に対し、前記白色光を透過する第１のフィルタを適用することで前記白色光を取得し、前記特殊光を透過する第２のフィルタを適用することで前記特殊光を取得し、
前記照射時間制御部は、
前記第２のフィルタの適用時間が前記第１のフィルタの適用時間よりも長くなるよう制御することを特徴とする光制御装置。
【請求項１１】
請求項１０において、
前記光照射部は、
前記第１のフィルタ及び前記第２のフィルタを含む回転フィルタを回転させることで、前記白色光及び前記特殊光を順次取得し、
前記回転フィルタは、
前記第２のフィルタのサイズが前記第１のフィルタのサイズよりも大きいことを特徴とする光制御装置。
【請求項１２】
請求項１において、
前記特定の波長帯域は、前記白色光の波長帯域よりも狭い帯域であることを特徴とする光制御装置。
【請求項１３】
請求項１において、
前記特定の波長帯域は、血液中のヘモグロビンに吸収される波長の波長帯域であることを特徴とする光制御装置。
【請求項１４】
請求項１３において、
前記波長帯域は、３９０ナノメータ〜４４５ナノメータ、または５３０ナノメータ〜５５０ナノメータであることを特徴とする光制御装置。
【請求項１５】
請求項１において、
前記特定の波長帯域は、蛍光物質に蛍光を発生させる励起光の波長帯域であることを特徴とする光制御装置。
【請求項１６】
請求項１５において、
前記特定の波長帯域は、４９０ナノメータ〜６２５ナノメータの波長帯域の蛍光を発生させるための３９０ナノメータ〜４７０ナノメータの励起光の波長帯域であることを特徴とする光制御装置。
【請求項１７】
請求項１において、
前記特定の波長帯域は、赤外光の波長帯域であることを特徴とする光制御装置。
【請求項１８】
請求項１７において、
前記特定の波長帯域は、７９０ナノメータ〜８２０ナノメータ、または９０５ナノメータ〜９７０ナノメータの波長帯域であることを特徴とする光制御装置。
【請求項１９】
請求項１において、
前記光走査型光学装置は、光走査型内視鏡装置であることを特徴とする光制御装置。
【請求項２０】
請求項１乃至１９のいずれかの光制御装置である光制御部と、
前記光制御部が取得した光信号に基づいて、出力画像を生成する画像処理部と、
を含み、
前記画像処理部は、
検出された前記第１の戻り光と、前記第２の戻り光とを用いて、出力画像を生成することを特徴とする制御装置。
【請求項２１】
請求項２０において、
前記画像処理部は、
前記照射された光の種類を特定する光特定情報を取得する情報取得部と、
取得された前記光特定情報に基づいて、前記被検体からの戻り光を、前記第１の戻り光と前記第２の戻り光とに分離する分離部と、
分離された前記第１の戻り光及び前記第２の戻り光に基づいて、出力画像を生成する画像生成部と、
を含むことを特徴とする制御装置。
【請求項２２】
請求項２１において、
前記光検出部は、
前記光照射部により前記白色光が照射されることによる前記第１の戻り光と、前記特殊光が照射されることによる前記第２の戻り光とを検出することを特徴とする制御装置。
【請求項２３】
請求項２２において、
前記画像生成部は、
検出された前記第１の戻り光に基づいて第１の画像を生成し、検出された第２の戻り光に基づいて前記第２の画像を生成し、前記第１の画像と前記第２の画像から出力画像を生成することを特徴とする制御装置。
【請求項２４】
請求項２１において、
前記情報取得部は、
前記照射スポットに照射した光が、前記白色光を構成する第１〜第Ｎ（Ｎは２以上の整数）の単色照射光であるか、前記特殊光を構成する第Ｎ＋１〜第Ｍ（ＭはＭ＞Ｎ＋１となる整数）の単色照射光であるかを特定する光特定情報を取得し、
前記分離部は、
前記光特定情報に基づいて、前記戻り光を、前記白色光を構成する前記第１〜第Ｎの単色照射光に対応する第１〜第Ｎの単色戻り光と、前記特殊光を構成する前記第Ｎ＋１〜第Ｍの単色照射光に対応する第Ｎ＋１〜第Ｍの単色戻り光とに分離することを特徴とする制御装置。
【請求項２５】
請求項２４において、
前記光検出部は、
前記光照射部により前記第１〜第Ｎ（Ｎは２以上の整数）の単色照射光が照射されることで、前記第１〜第Ｎの単色戻り光を検出し、
前記画像生成部は、
検出された前記第１〜第Ｎの単色戻り光に基づいて、前記第１の画像を構成する第１〜第Ｎの単色画像を生成することを特徴とする制御装置。
【請求項２６】
請求項２４において、
前記光検出部は、
前記光照射部により前記第Ｎ＋１〜第Ｍの単色照射光が照射されることで、前記第Ｎ＋１〜第Ｍの単色戻り光を検出し、
前記画像生成部は、
検出された前記第Ｎ＋１〜第Ｍの単色戻り光に基づいて、前記第２の画像を構成する第Ｎ＋１〜第Ｍの単色画像を生成することを特徴とする制御装置。
【請求項２７】
請求項２１において、
前記光照射部は、
前記スポット光を前記被検体にらせん状に照射し、
前記情報取得部は、
前記スポット光の位置情報を取得し、
前記画像生成部は、
分類された前記第１の戻り光に対応する第１の画像信号の配置態様を、前記スポット光の位置情報に基づいて、ラスタスキャン形式に変換する第1補間部と、
分類された前記第２の戻り光に対応する第２の画像信号の配置態様を、前記スポット光の位置情報に基づいて、ラスタスキャン形式に変換する第２補間部と、
を含み、
前記画像生成部は、
ラスタスキャン形式に変換された前記第１の画像信号に基づいて前記第１の画像を生成し、ラスタスキャン形式に変換された前記第２の画像信号に基づいて前記第２の画像を生成することを特徴とする制御装置。
【請求項２８】
請求項１に記載の光制御装置内の前記光照射部により照射された前記白色光を通過させ、前記被検体からの戻り光を前記光検出部に返すことを特徴とする光学スコープ。